(57)【特許請求の範囲】
【請求項１】
内部に収納された書類等を出し入れ可能な前面側に引戸開閉扉を有するか前記前面が露出した庫体と、
この庫体の前記前面両側部にある前記庫体の柱材の前面側に取り付けて縦設された左右のレールと、
前記左右のレールに支持されて前記庫体の前記前面の側で昇降自在であり、前記庫体の横幅と略等しい横幅を有する矩形状のホワイトボード、掲示用ボード、黒板等のボードと、
このボードの両側上下部に突設された軸を中心に回転し前記レール上を回転自在に設けられた車輪と、
前記ボードの任意位置での停止および昇降を補助するボード昇降手段と
を具有し、
前記レールは、水平断面が略コ字形を有し前記庫体の前記前面に沿う側が開放されている
ことを特徴とするボードを備えた保管庫。
【請求項２】
前記ボード昇降手段は、前記庫体の上部一側に設置されワイヤ巻き取り習性を有するスプリングバランサと、このスプリングバランサから導出されて前記ボードの側部に止着されたワイヤとで構成されている請求項１記載のボードを備えた保管庫。
【発明の詳細な説明】
【０００１】
【発明の属する技術分野】
本発明は、正面にホワイトボード、掲示用ボード等のボードを備えた保管庫に関する。
【０００２】
【従来の技術】
オフィスにおいては、書類や書籍類を収納して保管するスチール製の保管庫が広く用いられている。この種の保管庫は、前面に開閉扉（引戸）を有するか、あるいは複数段の棚が露出しておかれる。
【０００３】
一方、オフィス等においては、業務上のメモ用としてのホワイトボードや黒板が置かれたり、情報伝達用の書類を貼付してその内容を知らしめるためのピンナップボード、マグネットボード等が使用されている。
【０００４】
【発明が解決しようとする課題】
しかして従来のスチール製保管庫の前面は、内部に収納されている書類等を出し入れする際に扉を開け閉めするだけの用途にしか使用されることはなく、他の時間は何ら使用されることがない。
【０００５】
また専用にホワイトボード類をオフィスに設置することは、その設置に要するスペースを占有することになるのでオフィス空間を狭めることになり、好ましくない。
【０００６】
本発明は上記の点に鑑み、保管庫の前面を有効に利用し、オフィス空間を狭めることのないボードを備えた保管庫を提供することを課題としてなされたものである。
【０００７】
【課題を解決するための手段】
上記課題を解決する手段として本発明は、内部に収納された書類等を出し入れ可能な前面に引戸開閉扉を有するか前記前面が露出した庫体と、この庫体の前記前面両側部にある前記庫体の柱材の前面側に取り付けて縦設された左右のレールと、前記左右のレールに支持されて前記庫体の前記前面の側で昇降自在であり、前記庫体の横幅と略等しい横幅を有する矩形状のホワイトボード、掲示用ボード、黒板等のボードと、このボードの両側上下部に突設された軸を中心に回転し前記レール上を回転自在に設けられた車輪と、前記ボードの任意位置での停止および昇降を補助するボード昇降手段とを具有し、前記レールは、水平断面が略コ字形を有し前記庫体の前記前面に沿う側が開放されていることを特徴とする。
【０００８】
こうしたことにより、保管庫の前面にボードが存在するので、ボードがホワイトボードや黒板であるときは業務上のメモ書き用として使用することができ、ボードが掲示用ボードであるときは書類等を貼付して掲示することができる。
【０００９】
保管庫内に収納されている書類等の出し入れ時に保管庫の上方部への出し入れが必要なときは、ボードを下方へ引き下げれば、保管庫の上方部への書類等の出し入れができ、同様に保管庫の下方部への出し入れが必要なときは、ボードを引き上げれば、保管庫の下方部への書類等の出し入れができる。
【００１０】
上記ボードの任意位置での停止および昇降を補助するボード昇降手段としてスプリングバランサを用いれば、簡単な構成で目的を達成することができるとともに、既存の保管庫への適用についても実施が容易にできる。
【００１１】
またボードの上方部への書き込み等は台に乗らないとできないが、ボードを下降させることによってどのような背たけの人でも容易に書き込み等を行うことができる。
【００１２】
さらに保管庫の前面が解放された書棚であるときは、ボードを上昇位置におくことにより目線域の保管庫内を隠すことができ、目隠し代わりとして使用することができる。
【００１３】
【発明の実施の形態】
以下、本発明を図面に示す実施の形態を参照して説明する。
【００１４】
図１は本発明の一実施形態の外観を示すもので、（Ａ）は正面を、（Ｂ）は側面を、そして（Ｃ）は上面を示している。
【００１５】
保管庫の庫体１はスチール製のもので、所定寸法の横幅、奥行き、および高さを有する縦型のものであり、その前面１ａの開口部から庫体１内に書類その他の物品を収納するようになっており、庫体１の内部には複数段の棚（図示省略）が架設されている。なおこの庫体１の前面１ａは引き違いの引き戸式扉で開閉自在とされるか、あるいは開放のままとされている。
【００１６】
前記庫体１の前面１ａの両側部には左右のレール２、２が縦設されている。このレール２は、図３にみられるように水平断面が略コ字形を有し、庫体１の前面１ａに沿う側が開放されており、このレール２の前辺２ａはその内面が縦方向に断面Ｖ形の溝状をなす凹部３とされ、この前辺２ａと対向する後辺２ｂが庫体１の柱材４の前面側に固着されている。
【００１７】
ホワイトボード（ホーローホワイトボード）、掲示用ボード、黒板等のボード５は、前記庫体１の横幅と略等しい横幅を有し、高さは庫体１の高さの略１/２程度とされた角形状を有している。
【００１８】
前記ボード５の両端部にはアルミニウムまたはスチール等からなるフレーム６が取り付けられている。このフレーム６は、図２（Ａ）に正面を、同（Ｂ）に側面を示すように、水平断面がコ字状をなす縦フレーム６ａと、その上下端に直角に屈曲された上部横フレーム６ｂおよび下部横フレーム６ｃとで構成され、前記縦フレーム６ａと下部横フレーム６ｃがボード５の側端部から下端部にかけて嵌合されてビス７等により固定され、上部横フレーム６ｂはボード５の上方位置の背面にそっておかれるようになっている。
【００１９】
そして前記上部横フレーム６ｂにはボード取付部８が上方へ向けて突設されており、その上端の屈曲部８ａがボード５の上端縁に掛合されてビス９等により固着され、このようにして左右のフレーム６、６とも同様に取り付けられる。
【００２０】
前記縦フレーム６ａの外側面の上方および下方位置には、２本ずつの軸１０、１０が上下に間隔をおいて水平方向に突設されたベース１１、１１がボルト１２、１２により固着され、この軸１０、１０の軸端には車輪１３、１３が水平な軸線を中心に回転自在に取り付けられている。
【００２１】
上記車輪１３、１３は前記レール２内に嵌合され、そのレール２の前辺２ａの凹部３に嵌合して外れ出ない状態となって、がたつくことなく上下方向に転動する。
【００２２】
また前記縦フレーム６ａの上端位置には、前記レール２の内部に嵌合し得る大きさのゴム等の弾性体からなるクッション材１４が設けられており、レール２の上端部に固設された図示しないストッパに前記クッション材１４が当接することでボード５に衝撃を与えることなく上昇限が定められるようになっている。
【００２３】
前記フレーム６、６のうち一方のフレーム６の上端位置には、図１Ａ、図１Ｃに示すようにボード昇降手段の一例としてワイヤ巻き取り習性を有するスプリングバランサ１５（市販品）が設置され、このスプリングバランサ１５から引き出されたワイヤ１６が連結具１６ｃにより２本に分岐されたうちの１本のワイヤ１６ａは図において右端に設けられた滑車１５ａを経由してボード５の右側面にボルト１７により止着され、他方のワイヤ１６ｂは前記滑車１５ａを中継しこれとは反対端に設けられた滑車１５ｂを経由してボード５の左側面に同様にして止着されており、ボード５の左右が傾くことなく昇降するようになっている。
【００２４】
なお上記スプリングバランサに関しては、図１（Ｄ）に示すように中央に２個のスプリングバランサ１５、１５を設置し、一方のスプリングバランサ１５から導出されるワイヤ１６ａは滑車１５ａを経由してボード５の右側面に止着し、他側のスプリングバランサ１５から導出されるワイヤ１６ｂは滑車１５ｂを経由してボード５の左側面に止着し、ボード５の左右の荷重を各スプリングバランサ１５、１５に分担させるようにしてもよい。
【００２５】
したがって上記スプリングバランサ１５のワイヤ巻き取り力をボード５の重量とバランスさせておくことにより、ボード５を上下方向任意位置で静止させることができ、またボード５を昇降させる際にも軽い力で行うことができる。
【００２６】
次に上記実施形態の作用を説明する。
【００２７】
ボード５に手を掛けて上昇させれば、スプリングバランサ１５にワイヤ１６ａ、１６ｂが巻き込まれながらその巻き込み力が加担してボード５を軽い力で上昇させることができ、その上昇限に至ったときクッション材１４がストッパに当たって停止する。
【００２８】
この状態においては、ボード５は庫体１の前面１ａの上半部を覆う位置に留まっておかれ、ボード５がホワイトボードや黒板であるときは筆記しやすい高さ位置となり、ボード５が掲示用であるときは掲示物が見やすい高さ位置となる。また庫体１の前面１ａが開放された保管庫である場合は、目線位置の庫体１内がボード５により隠蔽され、目隠しとしての機能を果たす。
【００２９】
庫体１内の上方部に書類等を収納する場合や取り出す場合には、ボード５に手を掛けて引き下げればワイヤ１６ａ、１６ｂを引き出しつつ安定した状態で引き下げられ、これにより庫体１の前面１ａの上半部が開放されて書類等を出し入れすることができる。
【００３０】
なお前記ボード昇降手段は、スプリングバランサ１５およびワイヤ１６によることが簡単な構成によりボード５の昇降を軽くできるとともにスペースもとらず、安価に得られる点で好ましいが、スプリングバランサ以外の重錘を用いたバランサ、トルクスプリングとブレーキとの併用によるものなど、適宜な手段を採用することができる。また新造の保管庫に限らず、既存の保管庫であってもレール２、２を取り付けることにより容易に実施可能である。
【００３１】
【発明の効果】
以上説明したように本発明によれば、保管庫の前面にボードを昇降自在に設けたので、ボードがホワイトボードや黒板であるときはこれに業務上の必要事項の記載用として、またボードが掲示用であるときは書類等を貼付して掲示することができ、保管庫の前面の有効利用を図ることができる。
【００３２】
保管庫内に収納する書類等の出し入れ時に、保管庫の上方部への出し入れが必要なときは、ボードを下方へ引き下げればボード昇降手段により軽く下降し、保管庫の下方部への出し入れが必要なときは、ボードを引き上げれば軽く上昇させることができ、保管庫の前面下方部が開放されて書類等の出し入れができる。
【００３３】
特に保管庫の前面が開放された書棚構造であるときは、ボードを上昇位置におくことにより目線域の保管庫内を隠すことができ、目隠しとして使用することができる。
【図面の簡単な説明】
【図１】本発明によるボードを備えた保管庫の一実施形態の外観を示すもので、（Ａ）は正面図、（Ｂ）は側面図、（Ｃ）は平面図、（Ｄ）は変形例の平面図。
【図２】ボードの端部に設けられるフレームを示すもので、（Ａ）は正面図、（Ｂ）は側面図。
【図３】保管庫の庫体とボードの端部を示す一部の平面図。
【符号の説明】
１  庫体
１ａ  前面
２  レール
４  庫体の柱材
５  ボード
６  フレーム
８  ボード取付部
１３  車輪
１４  クッション材
１５  スプリングバランサ
１６、１６ａ、１６ｂ  ワイヤ
【図１】
0004413447.tif 000002
【図２】
0004413447.tif 000003
【図３】
0004413447.tif 000004